(57)【要約】【課題】ステアリングスイッチのスイッチ部に、直感的で簡単に実行可能な機能を割り付けることができるスイッチ装置およびその機能割り付け方法を提供する。【解決手段】車両１０のステアリングコラム２０に回転可能に支持されたステアリング３０の一部に設けられ、押下動作によりスイッチ動作するスイッチ部を有するステアリングスイッチ１００と、ステアリングスイッチ１００の各スイッチ部に対して実行可能な機能を割り付ける機能割付部２０１と、車両１０に搭載された車載機器の実行可能な機能を操作する機能ボタン４５０と、を有して構成する。【選択図】図３
2010108861.tif 000002
【特許請求の範囲】
【請求項１】
車両のステアリングコラムに回転可能に支持されたステアリングの一部に設けられ、押下動作によりスイッチ動作するスイッチ部を有するステアリングスイッチと、
前記ステアリングスイッチのスイッチ部に対して実行可能な機能を割り付ける機能割付部と、
前記車両に搭載された車載機器の実行可能な機能を操作する機能ボタンと、
を有し、
前記機能割付部は、前記実行可能な機能が割り付けられるスイッチ部、および、前記車載機器の前記機能ボタンの同時操作により前記機能の割り付けを行なうことを特徴とするスイッチ装置。
【請求項２】
前記同時操作は、同時の長押し操作であることを特徴とする請求項１に記載のスイッチ装置。
【請求項３】
車両のステアリングコラムに回転可能に支持されたステアリングの一部に設けられ、押下動作によりスイッチ動作するスイッチ部を有するステアリングスイッチを長押し操作するステップと、
前記車両に搭載された車載機器の実行可能な機能を操作する機能ボタンを長押し操作するステップと、
を有するスイッチ装置の機能割り付け方法。
【発明の詳細な説明】
【技術分野】
【０００１】
本発明は、スイッチ装置およびその機能割り付け方法に関する。
【背景技術】
【０００２】
車両のステアリングに設けられ、操作ボタンを押下げすることにより種々の車載機器の制御を可能にするステアリングスイッチがある。この種のステアリングスイッチは、個々の操作ボタンに対して押下げにより実行可能な機能が予め割り付けられているものが多い。これに対して、ステアリングスイッチのそれぞれの操作ボタンにユーザの好みに応じた実行可能な機能を自由に割り付けることができるステアリングスイッチ装置が提案されている（例えば、特許文献１参照）。
【０００３】
特許文献１のスイッチ装置によれば、ユーザが操作スイッチを操作することで、センタークラスタＰＣに記憶された複数のステアリングスイッチ機能コードの中からステアリングスイッチ群に割り付けるステアリングスイッチ機能コードが選択できる。この割り付け後に、ユーザが、ステアリングスイッチを押下すると、センタークラスタＰＣにおいて、押下されたステアリングスイッチに割り付けられた機能が、ステアリングスイッチ機能コードを参照して特定され、それに応じた制御対象に制御信号が出力される。また、センタークラスタディスプレイやヘッドアップディスプレイによりフロントガラス上に上記のステアリングスイッチに割り付けられた割り付け機能図が表示される。
【特許文献１】特開平１０−３０８１３６号公報
【発明の開示】
【発明が解決しようとする課題】
【０００４】
しかし、特許文献１のスイッチ装置によると、ステアリングスイッチの機能割付はセンタークラスタＰＣによりセンタークラスタディスプレイ上の表示を参照しながらセンタークラスタ上の操作スイッチ群を操作することにより行なわれる。従って、機能割付がされるステアリングスイッチから離れたセンタークラスタ上での機能操作となり、また、ステアリングスイッチから離れたセンタークラスタディスプレイ上の表示を参照しながら機能割付操作するので直感的な設定が容易ではなく、また、設定方法を覚えにくい。
【０００５】
従って、本発明の目的は、ステアリングスイッチのスイッチ部に、直感的で簡単に実行可能な機能を割り付けることができるスイッチ装置およびその機能割り付け方法を提供することにある。
【課題を解決するための手段】
【０００６】
［１］本発明は、車両のステアリングコラムに回転可能に支持されたステアリングの一部に設けられ、押下動作によりスイッチ動作するスイッチ部を有するステアリングスイッチと、前記ステアリングスイッチのスイッチ部に対して実行可能な機能を割り付ける機能割付部と、前記車両に搭載された車載機器の実行可能な機能を操作する機能ボタンと、を有し、前記機能割付部は、前記実行可能な機能が割り付けられるスイッチ部、および、前記車載機器の前記機能ボタンの同時操作により前記機能の割り付けを行なうことを特徴とするスイッチ装置を提供する。
【０００７】
［２］前記同時操作は、同時の長押し操作であることを特徴とする上記［１］に記載のスイッチ装置であってもよい。
【０００８】
［３］本発明は、車両のステアリングコラムに回転可能に支持されたステアリングの一部に設けられ、押下動作によりスイッチ動作するスイッチ部を有するステアリングスイッチを長押し操作するステップと、前記車両に搭載された車載機器の実行可能な機能を操作する機能ボタンを長押し操作するステップと、を有するスイッチ装置の機能割り付け方法を提供する。
【発明の効果】
【０００９】
本発明によれば、ステアリングスイッチのスイッチ部に、直感的で簡単に実行可能な機能を割り付けることができるスイッチ装置およびその機能割り付け方法を提供することができる。
【発明を実施するための最良の形態】
【００１０】
（本発明の実施の形態）
図１は、ステアリングスイッチを有する車両内部の斜視図である。図２は、図１におけるステアリング付近を拡大した拡大図である。図３は、本発明の実施の形態に係るスイッチ装置１の概略ブロック構成図である。図４は、本発明の実施の形態に係るスイッチ装置１の動作説明のための、通信ラインで接続されたステアリングスイッチ１００とオーディオ装置４０１の接続関係図である。図５は、本発明の実施の形態に係るスイッチ装置１の動作を説明するためのフローチャートである。
【００１１】
（スイッチ装置１の構成）
本発明の実施の形態に係るスイッチ装置１は、車両１０のステアリングコラム２０に回転可能に支持されたステアリング３０の一部に設けられ、押下動作によりスイッチ動作するスイッチ部を有するステアリングスイッチ１００と、ステアリングスイッチ１００の各スイッチ部に対して実行可能な機能を割り付ける機能割付部２０１と、車両１０に搭載された車載機器の実行可能な機能を操作する機能ボタン４５０と、を有して概略構成されている。
【００１２】
ステアリングスイッチ１００は、車両１０のステアリングコラム２０に回転可能に支持されたステアリング３０の一部に設けられ、運転者がステアリングホイール３１を把持した状態で指等により押下動作できる状態で設けられている。図１、２では、ステアリング３０の左右２箇所に設けられ、それぞれのステアリングスイッチ１００には図２で示すように第１スイッチ部１０１、第２スイッチ部１０２、第３スイッチ部１０３の３つのスイッチ部が設けられている。尚、ステアリングスイッチの配置位置はステアリング３０の左右には限られず、また、ステアリングスイッチを構成するスイッチ部は３つ以外であってもよい。
【００１３】
図３は、スイッチ装置１の概略ブロック構成図である。上記したステアリングスイッチ１００は、スイッチ装置１の制御全般を行なうステアリングスイッチＥＣＵ(Electronic Control Unit)２００に接続されている。ステアリングスイッチＥＣＵ２００には、ステアリングスイッチ１００に機能割り付け可能な車載機器、例えば、オーディオ機器４０１、オートウインドウ装置４０２、フューエルリッド開閉装置４０３、カーナビゲーション４０４、エアコン装置４０５、・・・・・等の車載機器がＣＡＮ(Controller Area Network)、ＬＩＮ(Local Interconnect Network)等の通信ライン４００により接続されている。
【００１４】
ステアリングスイッチＥＣＵ２００は、スイッチ装置１の制御全般を行なうが、機能割付部２０１を有しており、ステアリングスイッチ１００のそれぞれのスイッチ部（１０１、１０２、１０３）に実行可能な機能の割り付けを行なう。割り付けされる機能は、通信ライン４００で接続された車載機器において、操作ボタンにより操作される制御モードである。すなわち、車載機器の操作ボタンの機能をステアリングスイッチ１００のそれぞれのスイッチ部（１０１、１０２、１０３）に実行可能な機能として割り付けを行なうことができる。
【００１５】
ステアリングスイッチＥＣＵ２００には、内部に、上記示した割り付け操作を行なうためのプログラムを記憶した記憶部を有する。このプログラムの実行により上記示した機能割付部２０１による機能割り付けを行ない、ステアリングスイッチ１００のカスタマイズを行なうことができる。
【００１６】
（スイッチ装置１の動作）
図４は、本発明の実施の形態に係るスイッチ装置１の動作説明のための、通信ライン４００およびロールコネクタ４０を介して接続されたステアリングスイッチ１００とオーディオ装置４０１の接続関係図である。オーディオ装置４０１には、機能１、機能２、機能３、機能４、機能５、・・・・等の種々の機能が設定された操作ボタン４５０が配置されている。ここで、例えば、機能３が設定された操作ボタン４５０をステアリングスイッチ１００のスイッチ部（第１スイッチ部１０１、第２スイッチ部１０２、第３スイッチ部１０３）に割り付ける場合の操作を説明する。
【００１７】
図５は、本発明の実施の形態に係るスイッチ装置１の動作を説明するためのフローチャートである。図５において、第１スイッチ部１０１が長押しされたかどうか、ステアリングスイッチＥＣＵ２００の機能割付部２０１で判断する（Ｓｔｅｐ１）。例えば、２秒以上押された場合は、長押しされたと判断する。長押しされたと判断されない場合は、Ｓｔｅｐ４へ進み、長押しされたと判断された場合はＳｔｅｐ２へ進む。
【００１８】
Ｓｔｅｐ２では、操作ボタン４５０も同時に長押しされたかどうかを判断する。Ｓｔｅｐ１と同様に２秒以上押された場合に長押しされたと判断する。また、それぞれ押された時間の共通の時間が２秒以上押された場合に長押しされたと判断することができる。長押し時間は、メーカ側で設定でき、また、ユーザが後から適宜変更して設定することもできる。
【００１９】
Ｓｔｅｐ１およびＳｔｅｐ２により、同時に長押しされたと判断されると、ステアリングスイッチＥＣＵ２００の機能割付部２０１により、第１スイッチ部１０１の実行可能な機能としてオーディオ装置４０１の操作ボタン４５０に設定された機能（機能３）を割り付けて、内部の記憶部のデータを変更する。尚、オーディオ装置４０１の操作ボタン４５０は、第１スイッチ部１０１に機能割り付けされるが、操作ボタン４５０の機能は維持されこれを押すことで機能３が実行されることは変更されない。
【００２０】
Ｓｔｅｐ４では、第２スイッチ部１０２が長押しされたかどうか、ステアリングスイッチＥＣＵ２００の機能割付部２０１で判断される。長押しされたと判断されない場合は、Ｓｔｅｐ５へ進み、長押しされたと判断された場合はＳｔｅｐ３へ進み、上記と同様に、第２スイッチ部１０２に実行可能な機能としてオーディオ装置４０１の操作ボタン４５０に設定された機能（機能３）が割り付けられる。
【００２１】
Ｓｔｅｐ５では、第３スイッチ部１０３が長押しされたかどうか、ステアリングスイッチＥＣＵ２００の機能割付部２０１で判断される。長押しされたと判断されない場合は、スタートへ戻り、長押しされたと判断された場合はＳｔｅｐ３へ進み、上記と同様に、第３スイッチ部１０３に実行可能な機能としてオーディオ装置４０１の操作ボタン４５０に設定された機能（機能３）が割り付けられる。
【００２２】
オーディオ装置４０１の、機能１、機能２、機能３、機能４、機能５は、例えば、音量大、音量小、ミュート、ＣＤチェンジ、ＣＤイジェクトである。上記のフローチャートで説明した操作を図４で説明する。図４において、ステアリングスイッチ１００の例えば第１スイッチ部１０１と、オーディオ装置４０１の操作ボタン４５０（機能３）を同時に押す。この同時の押下動作により、ステアリングスイッチ１００の第１スイッチ部１０１にオーディオ装置４０１の機能３（ミュート）が実行可能な機能として割り付けられて登録される。
【００２３】
ステアリングスイッチ１００の第１スイッチ部１０１に、オーディオ装置４０１の機能３が割り付けられた後は、第１スイッチ部１０１を押すだけでオーディオ装置４０１のミュート機能は実行される。
【００２４】
（本発明の実施の形態の効果）
本発明の実施の形態によれば、次のような効果を有する。
（１）ステアリングスイッチＥＣＵ２００による割り付け機能により、ステアリングスイッチ１００のそれぞれのスイッチ部に簡単に実行可能な機能の割り付けを行なうことができる。すなわち、割り当てたい機能のスイッチと割り付ける対象のステアリングスイッチを同時に長押しすることで設定が完了する。
（２）機能割り付けされるスイッチ部（第１スイッチ部１０１、第２スイッチ部１０２、第３スイッチ部１０３）を用いて機能の割り付け操作を行なうので、簡単かつ直感的に操作でき、また、設定方法を覚えやすい。
（３）センタークラスタディスプレイ等にメニューを表示して機能の割り付け操作を行なう等の煩わしい操作が不要であり、簡単かつ直感的に操作でき、また、設定方法を覚えやすい。
【００２５】
尚、本発明は上記の実施の形態に限定されるものではなく、その要旨を逸脱しない範囲で種々の態様において実施することが可能である。
【図面の簡単な説明】
【００２６】
【図１】図１は、ステアリングスイッチを有する車両内部の斜視図である。
【図２】図２は、図１におけるステアリング付近を拡大した拡大図である。
【図３】図３は、本発明の実施の形態に係るスイッチ装置１の概略ブロック構成図である。
【図４】図４は、本発明の実施の形態に係るスイッチ装置１の動作説明のための、通信ラインで接続されたステアリングスイッチ１００とオーディオ装置４０１の接続関係図である。
【図５】図５は、本発明の実施の形態に係るスイッチ装置１の動作を説明するためのフローチャートである。
【符号の説明】
【００２７】
１…スイッチ装置、１０…車両、２０…ステアリングコラム、３０…ステアリング、３１…ステアリングホイール、４０…ロールコネクタ、１００…ステアリングスイッチ、１０１…第１スイッチ部、１０２…第２スイッチ部、１０３…第３スイッチ部、２００…ステアリングスイッチＥＣＵ、２０１…機能割付部、４００…通信ライン、４０１…オーディオ機器、４０２…オートウインドウ装置、４０３…フューエルリッド開閉装置、４０４…カーナビゲーション、４０５…エアコン装置、４５０…機能ボタン
【図１】
2010108861.tif 000003
【図２】
2010108861.tif 000004
【図３】
2010108861.tif 000005
【図４】
2010108861.tif 000006
【図５】
2010108861.tif 000007